(57)【要約】【課題】  円錐ウキを使用する磯釣りで、速い潮流の中でも釣り糸の送り出しの操作により、ウキを釣り糸に対し遊動あるいは固定状態に変換可能なウキを提供すること。【解決手段】  ウキに釣り糸１３を送っているときは、傾斜パイプ６ａは擂り鉢状空間部２ａの下部に位置しウキ本体内パイプ５ａと直線状態になるためウキは釣り糸に対し遊動状態。釣り糸の送りを止めるか、引いたとき傾斜パイプ６ａは釣り糸に引かれ上部を上蓋円形開口部分４に接しながら上昇し、くびれ部分８が上蓋円形開口部分４に達したとき上昇は止まり、くびれ部分８を支点に傾斜が始まり、傾斜が進むに従い傾斜パイプ下先端部分１０ａと擂り鉢状空間部２ａ内壁との隙間が狭くなっていく構造を成しているので、傾斜パイプ下先端部分１０ａから出る釣り糸は、その隙間に押圧、折れ曲がるためウキ本体１ａと固着状態になり、ウキを遊動から固定に変換することができる。【選択図】  図１
2006223282.tif 000002
【特許請求の範囲】
【請求項１】
重心が下部に位置し自立性が高く、上方内部に擂り鉢状空間部２ａと上蓋円形開口部分４がある上蓋３を設けた円錐ウキ本体１ａと、くびれ部分８より下の膨らみ部分９は前記擂り鉢状空間部２ａに内包され、上部の開口部分７ａが前記上蓋３から出ている傾斜パイプ６ａとを備え、傾斜パイプくびれ部分８と上蓋円形開口部分４が接する接点を支点として傾斜パイプ６ａの傾斜が進むに従い傾斜パイプ下先端部分１０ａと擂り鉢状空間部２ａの内壁との隙間が狭くなる形状を成していることを特徴とする円錐ウキ。
【請求項２】
請求項１記載の円錐ウキにおいて、ウキ本体の上部中央に浮遊の傾斜パイプ６ａに代えて傾斜パイプ中央付近に傾斜を可能にする回転軸１２を設けた傾斜パイプ６ｂ。擂り鉢状空間部２ａに代えて前記傾斜パイプ６ｂの傾斜が進むに従いその下先端部分１０ｂとの隙間が狭くなる形状を成した内壁２ｂを備えた円錐ウキ。
【発明の詳細な説明】
【技術分野】
【０００１】本発明は、潮流があり水深のある磯でウキを使用する釣りにおいて、釣り糸に対し遊動状態にあるウキによって目指す魚の泳層のポイントまでエサを付けた釣り針（以下「刺しエサ」という。）を沈降させた後は、その沈降した刺しエサの位置を保持するため、かつ刺しエサをウキより先行させて流すために、ウキに対し釣り糸の送り出しを止める、あるいは送り出しを抑えるという調整をしたとき、釣り糸に対しウキを固定の状態に変換する技術に関するものである。
【背景技術】
【０００２】現在、磯釣りにおいて主に行われている潮流の中で刺しエサを目指す魚の泳層のポイントに達した後、そのポイントに刺しエサを保持しようとする一般的な方法は、浮力の大きい遊動ウキに重めの錘を付け、錘の重さで浮き上がりを抑えるという仕掛けにするというものであるが、刺しエサをくわえた魚にできるだけ仕掛けが付いている違和感を感じさせないようにするためにできるだけ軽い仕掛けにしたい釣り人の思慮と相反するものである。また、他に遊動ウキの釣り糸を挿通する孔の上部にゴムを使用し、その摩擦力を利用してウキを固定の状態にしようとするものであるが、これは仕掛けが沈降するときも摩擦があるので、肝心な仕掛けの沈降を妨げるものとなる。いずれにしても、潮流の速度に大きく影響され、釣り糸に対しウキを固定の状態に保つことを保証するものとなっていない。
【特許文献１】特許公開２００３−２５９７８２
【発明の開示】
【発明が解決しようとする課題】
【０００３】そこで本発明は、ウキから下の仕掛け部分（以下「ウキ下」という。）を沈降させるため、ウキに対し釣り糸を送り出しているときのウキは遊動状態。刺しエサを目指した位置に保持しようと、ウキに対し釣り糸の送り出しを止める、あるいは釣り糸の送り出しを抑え気味にして釣り糸を張り気味にしているときのウキは固定状態。つまり、釣り糸の送り出し、あるいは張り具合の操作によって、ウキを釣り糸に対し遊動状態あるいは固定状態に自由に変換できるウキを提供することを課題とする。
【課題を解決するための第１の手段】
【０００４】以上の課題を解決するために、請求項１の本発明で、図１のとおり重心が下部に位置し自立性が高く、上部に擂り鉢状空間部２ａと円形開口部分４がある上蓋３を設けた円錐ウキ本体１ａと、開口部分７ａが前記上蓋３から出ており、くびれ部分８より下の膨らみ部分９は前記擂り鉢状空間部２ａに内包される傾斜パイプ６ａを有し、擂り鉢状空間部２ａの内壁は傾斜パイプ６ａのくびれ部分８と上蓋円形開口部分４との接点を支点として傾斜したとき、傾斜パイプ６ａの傾斜に従い傾斜パイプ下先端部分１０ａとの隙間が狭くなる形状を成している。また、傾斜パイプ下膨らみ部分９の直径は上蓋円形開口部４の直径より大きいため、傾斜パイプ６ａは円錐ウキ本体１を離脱することはない遊動固定可変ウキを使用する。
【０００５】この遊動固定可変ウキは、釣り糸１３が送られてくるときは釣り糸１３はウキ下の重みで沈降しようとするので、傾斜パイプ６ａは釣り糸１３に引かれるように擂り鉢状空間部２ａの下方に位置し、ウキ本体内パイプ５ａと直線状態となるため釣り糸１３の沈降を妨げない遊動ウキの状態であるが。
釣り糸１３の送り出しが停止、抑制、あるいは釣り人側に引かれたとき、円錐ウキ本体１ａは潮流に流され釣り人から離れようとしているので、釣り糸１３は釣り人側に引かれた状態となり、傾斜パイプ６ａは釣り糸１３に引かれて上蓋円形開口部分４に接しながら上昇し、傾斜パイプくびれ部分８が上蓋円形開口部分４に達したとき、そのくびれ部分８は上蓋円形開口部分４に引っかかるので傾斜パイプ６ａの上昇は止まり、傾斜パイプくびれ部分８を支点として傾斜パイプ開口部分７ａに釣り糸１３の引く力が働き、傾斜パイプ６ａは傾斜を始め、擂り鉢状空間部２ａの内壁は、傾斜パイプ６ａの傾斜が進むに従い傾斜パイプ下先端部分１０ａとの隙間は徐々に狭くなっていく形状を成しているため、傾斜パイプ６ａの傾斜が進むに従い傾斜パイプ下先端部分１０ａから出る釣り糸１３は、その隙間に押圧され、また、折れ曲がることでウキ本体１ａと固着の状態となり固定ウキに変換する。
このように釣り糸１３を送り出す、止める、あるいは引くという操作の加減によって遊動状態から固定状態に自由に変換できることを特徴とした遊動固定可変ウキを利用する。
【課題を解決するための第２の手段】
【０００６】請求項２の本発明で、図４のとおり重心が下部に位置し自立性が高い円錐ウキ本体１ｂと、このウキ本体１ｂの上部中央に回転軸を持つ傾斜パイプ６ｂを有し、ウキ本体１ｂの内壁２ｂは、傾斜パイプ６ｂの傾斜に従い傾斜パイプ下先端部分１０ｂとの隙間が徐々に狭くなる形状を成している遊動固定可変ウキを使用する。
【０００７】この遊動固定可変ウキは、釣り糸１３が送られてくるときは釣り糸１３はウキ下の重みで沈降しようとするので、釣り糸は下に引かれ傾斜パイプ６ｂは回転軸１２を支点にウキ本体内パイプ５ｂと直線状態になるため釣り糸１３の沈降を妨げない遊動ウキの状態になる。
釣り糸１３の送り出しが停止、抑制、あるいは釣り人側に引かれたとき、円錐ウキ本体１ｂは潮流に流されているので、釣り糸１３は釣り人側に引かれた状態となり、傾斜パイプ回転軸１２を支点として傾斜パイプ開口部分７ｂに釣り糸１３の引く力が働き、傾斜パイプ６ｂは傾斜を始め、傾斜パイプ６ｂの傾斜が進むに従い傾斜パイプ下先端部分１０ｂから出る釣り糸１３は、本体内壁２ｂとの隙間に押圧され、また、折れ曲がることでウキ本体１ｂと固着の状態となり固定ウキに変換する。
このように釣り糸１３を送り出す、止める、あるいは引くという操作の加減によって遊動状態から固定状態に自由に変換できることを特徴とした遊動固定可変ウキを利用する。
【発明の実施するための最良の形態】
【０００８】速い潮流で水深のある海釣りにおいて、図７のとおり仕掛けを従来の円錐ウキのふかせ釣りと同様にして、ウキ止めの半円シモリ１５とウキクッション１６の間の遊動部分に、本発明の遊動固定可変ウキを設けたものとする。ウキ等の仕掛けを海に投入した後、釣り糸１３を送り出しているときは、ウキは遊動状態であるため刺しエサ１９を沈降させることができ、次に刺しエサ１９を目指すポイントの海層まで沈降させた後は、その位置を保持しようと釣り糸１３の送り出しを止めるか、抑えたとき、ウキ本体自体は潮流に流され釣り人から離れようとしているため、釣り糸１３は釣り人側に引かれた状態となり、ウキ本体１ａ、１ｂに対し傾斜パイプ６ａ、６ｂは傾斜することにより固定状態に変化し、ウキ下を引き上げることはないため、目指す海層に刺しエサを保持することと、刺しエサをウキより先行させることを容易に可能とする。
また、仕掛けの回収時には、ウキが海面から上がった瞬間にウキ下の重み及びウキ下の水中抵抗により釣り糸１３は下方向に引かれ、傾斜パイプ６ａ、６ｂと本体内パイプ５ａ、５ｂは直線状態に戻りウキは遊動状態となり、ウキは遊動範囲の下限に達するので仕掛けの回収を容易にする。
【図面の簡単な説明】
【００９】
【図１】請求項１の固定状態にあるウキ本体及び傾斜パイプの断面図
【図２】請求項１の遊動状態にあるウキ本体及び傾斜パイプの部分断面図
【図３】図２の斜視図
【図４】請求項２の固定状態にあるウキ本体及び傾斜パイプを傾斜パイプ回転軸の延長方向から見た断面図
【図５】請求項２の遊動状態にあるウキ本体及び傾斜パイプを傾斜パイプ回転軸を正面から見た部分断面図
【図６】図５の斜視図
【図７】本発明を使用した仕掛けの全体図
【符号の説明】
【００１０】    １ａ、１ｂ  円錐ウキ本体
２ａ  本体擂り鉢状空間部
２ｂ  本体内壁
３    本体上蓋
４    上蓋円形開口部分
５ａ、５ｂ  本体内パイプ
６ａ、６ｂ  傾斜パイプ
７ａ、７ｂ  傾斜パイプ開口部分
８    傾斜パイプくびれ部分
９    傾斜パイプ下膨らみ部分
１０ａ、１０ｂ  傾斜パイプ下先端部分
１１ａ、１１ｂ  傾斜パイプ下先端部分傾斜軌跡
１２  傾斜パイプ回転軸
１３  釣り糸
１４  ウキ止め糸
１５  半円シモリ
１６  ウキクッション
１７  サルカン
１８  エサの付いた釣り針（刺しエサ）
【図１】
2006223282.tif 000003
【図２】
2006223282.tif 000004
【図３】
2006223282.tif 000005
【図４】
2006223282.tif 000006
【図５】
2006223282.tif 000007
【図６】
2006223282.tif 000008
【図７】
2006223282.tif 000009